(57)【要約】      （修正有）【課題】機能が多様化した移動形インテリジェントダイエットマッサージ装置を提供する。【解決手段】移動形インテリジェントダイエットマッサージ装置であって、ボックス３を備え、ボックス３の内部の片側に、薬嚢販売機１２が配置され、薬嚢販売機１２の片側に、ゴミ収集箱１１が配置され、ゴミ収集箱１１の片側に、拭き取りコンポーネント２１が配置され、拭き取りコンポーネント２１の片側の下側に、マッサージチェア７が配置され、ボックス３の頂部に、消毒殺菌コンポーネントが横に並んで配置される。【選択図】図２
0003233588.tif 000002
【実用新案登録請求の範囲】
【請求項１】
移動形インテリジェントダイエットマッサージ装置であって、ボックス（3）を備え、
前記ボックス（3）の内部の片側に、薬嚢販売機（12）が配置され、前記薬嚢販売機（12）の片側に、ゴミ収集箱（11）が配置され、前記ゴミ収集箱（11）の片側に、拭き取りコンポーネント（21）が配置され、前記拭き取りコンポーネント（21）の片側の下側に、マッサージチェア（7）が配置され、前記ボックス（3）の頂部に、消毒殺菌コンポーネント（22）が横に並んで配置されることを特徴とする移動形インテリジェントダイエットマッサージ装置。
【請求項２】
前記消毒殺菌コンポーネント（22）は、ボックス（3）の頂部に横に並んで設けられた消毒槽（15）を備え、且つ消毒槽（15）の内側に、連接ブロックを介して紫外線ランプ（13）が固定するように取り付けられることを特徴とする請求項1に記載の移動形インテリジェントダイエットマッサージ装置。
【請求項３】
前記拭き取りコンポーネント（21）は、ボックス（3）の内側の底部に固定するように取り付けられた吸盤（10）を備え、前記吸盤（10）の頂部に、縦柱（20）が固定するように取り付けられ、前記縦柱（20）の頂端に、回転軸（17）を介して第一電動レバー（9）が回転するように取り付けられ、前記第一電動レバー（9）の底端に、第二電動レバー（16）が固定するように取り付けられ、前記第二電動レバー（16）の底端に、電動機（18）が固定するように取り付けられ、前記電動機（18）の出力端に、拭き取りディスク（8）が固定するように取り付けられ、且つ拭き取りディスク（8）の底部に、拭き取りタオル（19）が配置されることを特徴とする請求項1に記載の移動形インテリジェントダイエットマッサージ装置。
【請求項４】
前記ボックス（3）の片側の表面に、放熱穴（2）が縦に並んで設けられ、且つ放熱穴（2）の内側に、何れも防塵網（6）が固定するように取り付けられることを特徴とする請求項1に記載の移動形インテリジェントダイエットマッサージ装置。
【請求項５】
前記ボックス（3）の片側の表面に、ヒンジを介して密封ドア（5）が可動するように取り付けられ、前記密封ドア（5）の表面に、ハンドル（4）が固定するように取り付けられ、且つボックス（3）の底部において且つ4つのコーナーに近いところに、何れもローラー（23）が取り付けられることを特徴とする請求項1に記載の移動形インテリジェントダイエットマッサージ装置。
【請求項６】
前記ボックス（3）の頂部の表面に、ソーラーパネル（1）が固定するように取り付けられ、前記ボックス（3）の内部の頂端に、蓄電池（14）が固定するように取り付けられ、且つ蓄電池（14）の出力端は、導線を介してソーラーパネル（1）の出力端と電気的に連接されることを特徴とする請求項1に記載の移動形インテリジェントダイエットマッサージ装置。
【考案の詳細な説明】
【技術分野】
【０００１】
本考案はマッサージ健康保護の技術分野に関し、具体的には移動形インテリジェントダイエットマッサージ装置である。
【背景技術】
【０００２】
マッサージは、伝統中国医学における五臓六腑や、経路思想を理論的根拠とし、西洋医学の解剖や病理診断と組み合わせて、手を用いて直接体表面から一定の方式と方法により力学的刺激を加え、生理や病理等の状況を改善し、理学療法を目的にした手技療法である。性質から言えば、一つの物理療法であり、マッサージにより、血液の循環を良くして新陳代謝を促すため、人々はマッサージをすることでダイエット効果を実現することができる。
【０００３】
既存のダイエットマッサージ装置は構造が簡単であり、機能が少なく、また、使用中に、インテリジェント化の度合いが低く、柔軟性が劣って、複数の方式で同時に操作することはできないため、ダイエットの全体効果が悪く、且つ使用後早めに自動消毒できないという課題がある。
【考案の概要】
【考案が解決しようとする課題】
【０００４】
本考案は、移動形インテリジェントダイエットマッサージ装置を提供することを目的とし、上記背景技術に提出した、既存のダイエットマッサージ装置は構造が簡単であり、機能が少なく、また、使用中に、インテリジェント化の度合いが低く、柔軟性が劣って、複数の方式で同時に操作することはできないため、ダイエットの全体効果が悪く、且つ使用後早めに自動消毒できないという課題を解決できるようになる。
【課題を解決するための手段】
【０００５】
以上の目的を実現するために、本考案の使用する技術的な解決方案は以下の通りである。移動形インテリジェントダイエットマッサージ装置であって、ボックスを備え、前記ボックスの内部の片側に、薬嚢販売機が配置され、前記薬嚢販売機の片側に、ゴミ収集箱が配置され、前記ゴミ収集箱の片側に、拭き取りコンポーネントが配置され、前記拭き取りコンポーネントの片側に、マッサージチェアが配置され、前記ボックスの頂部に、消毒殺菌コンポーネントが横に並んで配置される。
【０００６】
好ましくは、前記消毒殺菌コンポーネントは、ボックスの頂部に横に並んで設けられた消毒槽を備え、且つ消毒槽の内側に、連接ブロックを介して紫外線ランプが固定するように取り付けられる。
【０００７】
好ましくは、前記拭き取りコンポーネントは、ボックスの内側の底部に固定するように取り付けられた吸盤を備え、前記吸盤の頂部に、縦柱が固定するように取り付けられ、前記縦柱の頂端に、回転軸を介して第一電動レバーが回転するように取り付けられ、前記第一電動レバーの底端に、第二電動レバーが固定するように取り付けられ、前記第二電動レバーの底端に、電動機が固定するように取り付けられ、前記電動機の出力端に、拭き取りディスクが固定するように取り付けられ、且つ拭き取りディスクの底部に、拭き取りタオルが配置される。
【０００８】
好ましくは、前記ボックスの片側の表面に、放熱穴が縦に並んで設けられ、且つ放熱穴の内側に、何れも防塵網が固定するように取り付けられる。
【０００９】
好ましくは、前記ボックスの片側の表面に、ヒンジを介して密封ドアが可動するように取り付けられ、前記密封ドアの表面に、ハンドルが固定するように取り付けられ、且つボックスの底部において且つ4つのコーナーに近いところに、何れもローラーが取り付けられる。
【００１０】
好ましくは、前記ボックスの頂部の表面に、ソーラーパネルが固定するように取り付けられ、前記ボックスの内部の頂端に、蓄電池が固定するように取り付けられ、且つ蓄電池の出力端は、導線を介してソーラーパネルの出力端と電気的に連接される。
【考案の効果】
【００１１】
既存技術と比べて、本考案の有益な効果は以下の通りである。
【００１２】
該移動形インテリジェントダイエットマッサージ装置では、日常で使用する際、まず必要に応じて装置を相応な位置に移動させて、密封ドアを開けて、使用者がボックスの内部に入り、薬嚢販売機の販売システムを通じて、使用者はダイエット部位に相応なプログラムを選択し、販売口から物理治療バッグを吐出し、使用者は、物理治療バッグ内のダイエットクリーム又は他の薬を自分の体に相応する部位に塗布した後、人の形に合っているマッサージチェアに横になったり座ったりして、マッサージの時間やパターンを設定して、薬が塗布した体の部位をマッサージし、装置のインテリジェント化の度合いをより高くして、機能がより多様化しながら、ダイエットの効果がよくなる。
【００１３】
該移動形インテリジェントダイエットマッサージ装置では、日常で使用が終わったら、電動機により拭き取りディスクと拭き取りタオルを動かして回転させて、電動レバーにより、拭き取りタオルの拭き取り範囲及び高さをリアルタイムに調節し、拭き取りタオルをマッサージチェアと接触させた状態で拭き取るようにする。それと同時に、人により拭き取る場所を調整し、よりよく拭き取るできるようになり、最後に紫外線ランプを使って消毒殺菌して、ダイエットマッサージの安全性を高める。
【図面の簡単な説明】
【００１４】
【図１】本考案の正面図を示す図である。
【図２】本考案の平面図の断面図である。
【図３】本考案の内部構造の底面図である。
【図４】本考案の拭き取りコンポーネントの構造を示す図である。
【考案を実施するための形態】
【００１５】
これから、図面と合わせて、本考案の実施形態について具体的に説明する。もちろん、説明する実施形態は本考案の実施形態の一部に過ぎなく、全部の実施形態ではない。本考案の実施形態に基づき、本考案の原理から逸脱しない前提において、実施した改善又は修正は、いずれも本発明の保護範囲とみなすべきである。
【００１６】
図1〜4をご参照ください。本考案は、下記のような技術的な解決方案を提供し、移動形インテリジェントダイエットマッサージ装置であって、ボックス3を備え、ボックス3の内部の片側に、薬嚢販売機12が配置され、薬嚢販売機12の片側に、ゴミ収集箱11が配置され、使用後のゴミをリアルタイムで収集して保管し、一緒に引き出して整理し、勝手に捨てることで環境を汚染した状況を避ける。ゴミ収集箱の片側11に、拭き取りコンポーネント21が配置され、拭き取りコンポーネント21の片側に、マッサージチェア7が配置され、ボックス3の頂部に、消毒殺菌コンポーネント22が横に並んで配置され、消毒殺菌コンポーネント22は、ボックス3の頂部に横に並んで設けられた消毒槽15を備え、且つ消毒槽15の内側に、連接ブロックを介して紫外線ランプ13が固定するように取り付けられ、使用中に残った細菌を殺し、内部スペースや装置の清潔及び安全を保つことができる。
【００１７】
拭き取りコンポーネント21は、ボックス3の内側の底部に固定するように取り付けられた吸盤10を備え、吸盤10の頂部に、縦柱20が固定するように取り付けられ、縦柱20の頂端に、回転軸17を介して第一電動レバー9が回転するように取り付けられ、第一電動レバー9の底端に、第二電動レバー16が固定するように取り付けられ、第二電動レバー16の底端に、電動機18が固定するように取り付けられ、電動機18の出力端に、拭き取りディスク8が固定するように取り付けられ、且つ拭き取りディスク8の底部に、拭き取りタオル19が配置され、電動機18により拭き取りディスク8と拭き取りタオル19を動かして回転させて、電動レバーにより、拭き取りタオル19の拭き取り範囲及び高さをリアルタイムに調節し、拭き取りタオル19をマッサージチェア7と接触させた状態で拭き取るようにする。それと同時に、人により拭き取る場所を調整し、よりよく拭き取るできるようになる。ボックス3の片側の表面に、放熱穴2が縦に並んで設けられ、且つ放熱穴2の内側に、何れも防塵網6が固定するように取り付けられ、ボックス3の内外の環境を貫通させて、ボックス3内の部品の運行によって発生した熱及び薬嚢の匂いを発散させる。ボックス3の片側の表面に、ヒンジを介して密封ドア5が可動するように取り付けられ、密封ドア5の表面に、ハンドル4が固定するように取り付けられ、且つボックス3の底部において且つ4つのコーナーに近いところに、何れもローラー23が取り付けられ、装置全体を相応な位置に移動することができるため、装置の柔軟性を高める。ボックス3の頂部の表面に、ソーラーパネル1が固定するように取り付けられ、ボックス3の内部の頂端に、蓄電池14が固定するように取り付けられ、且つ蓄電池14の出力端は、導線を介してソーラーパネル1の出力端と電気的に連接され、ソーラーパネル11により太陽エネルギーを電気エネルギーに変換し、蓄電池14を介して予備的に蓄えて、装置の運転に独立して十分な電力エネルギーを提供することができる。
【００１８】
作動原理は以下の通りである。本装置を使ってダイエットマッサージをする際、まず必要に応じてローラー23を介して装置を相応な位置に移動させて、太陽光をソーラーパネル1に照射させるようになり、また密封ドア5を開けて、使用者がボックス3の内部に入り、薬嚢販売機12の販売システムを通じて、使用者はダイエット部位に相応なプログラムを選択し、販売口から物理治療バッグを吐出し、使用者は、物理治療バッグ内のダイエットクリーム又は他の薬を自分の体に相応する部位に塗布した後、人の形に合っているマッサージチェア7に横になったり座ったりして、マッサージの時間やパターンを設定して、薬が塗布した体の部位をマッサージし、使用が終わったら、電動機18により拭き取りディスク8と拭き取りタオル19を動かして回転させて、電動レバーにより、拭き取りタオル19の拭き取り範囲及び高さをリアルタイムに調節し、拭き取りタオル19をマッサージチェア7と接触させた状態で拭き取るようにする。それと同時に、人により拭き取る場所を調整し、よりよく拭き取るできるようになり、最後に紫外線ランプを使って消毒殺菌して、ダイエットマッサージの安全性を高める。
【００１９】
説明すべきなのは、本明細書では、例えば第一や第二のような関係用語は、ただ1つの部品又は動作を他の部品又は動作と区別するために用いられ、これらの部品又は動作の間に実際的な関係又は順序が存在することを必ずしも要求しない。さらに、用語「備える」、「含む」、又は他の任意の変形は、非排他的な要素を含むことを意図し、更に一連の要素を含むプロセス、方法、物品、又は装置がそれらの要素を含むだけでなく、明示的に説明されていない他の要素、又はこのようなプロセス、方法、物品、または装置に固有の要素も含む。
【００２０】
本実用新案の実施形態を図示し説明したが、当業者にとっては、本実用新案の原理と精神から逸脱しない場合に、これらの実施形態を様々な変化、修正、置換、変形を行うことができる。本考案の範囲は、添付の実用新案登録請求の範囲及びその均等物によって限定される。
【符号の説明】
【００２１】
１、ソーラーパネル；2、放熱穴；3、ボックス；4、ハンドル；5、密封ドア；6、防塵網；7、マッサージチェア7；8、拭き取りディスク；9、第一電動レバー；10、吸盤；11、ゴミ収集箱；12、薬嚢販売機；13、紫外線ランプ；14、蓄電池；15、消毒槽；16、第二電動レバー；17、回転軸；18、電動機；19、拭き取りタオル；20、縦柱；21、拭き取りコンポーネント；22、消毒殺菌コンポーネント；23、ローラー
【図１】
0003233588.tif 000003
【図２】
0003233588.tif 000004
【図３】
0003233588.tif 000005
【図４】
0003233588.tif 000006